(57)【特許請求の範囲】
【請求項１】
駆動対象物を駆動するドライバと、該ドライバを介して前記駆動対象物の駆動パターンを制御する制御装置とを備える遊技機にあって、
前記ドライバが配設され、前記制御装置とは別体の駆動装置ユニットと、
前記制御装置から前記駆動装置ユニットにシリアル形式で信号を転送するシリアルデータ信号線とを備え、
前記ドライバは、クロック信号が入力されるクロック信号入力部と、シリアル形式の信号が入力されるシリアル信号入力部とを備え、前記クロック信号入力部に入力されるクロック信号に合わせて、前記シリアル信号入力部に入力される信号を受信するものであり、
前記駆動装置ユニットは、
前記駆動装置ユニットに配設された前記ドライバの前記クロック信号入力部にクロック信号を出力するクロック信号出力回路を備え、
前記シリアルデータ信号線を介して前記制御装置から入力される信号は、前記ドライバの前記シリアル信号入力部と、前記クロック信号出力回路とに入力されるよう構成されており、
前記制御装置が前記シリアルデータ信号線から出力する信号は、前記駆動対象物の駆動パターンを示す駆動パターン信号と、該駆動パターン信号の出力前に出力される所定の送信開始信号と、該駆動パターン信号の出力後に出力される所定の信号とを含み、
前記クロック信号出力回路は、
前記シリアルデータ信号線から前記送信開始信号が入力されるまでは、前記ドライバの前記クロック信号入力部にクロック信号を出力せず、
前記シリアルデータ信号線から前記送信開始信号が入力されると、前記ドライバの前記クロック信号入力部にクロック信号の出力を開始し、
前記シリアルデータ信号線から前記所定の信号が入力されると、クロック信号の出力を停止するよう構成されていることを特徴とする遊技機。
【請求項２】
前記駆動装置ユニットは、前記ドライバを複数備えており、
該複数のドライバは、固有アドレスを夫々設定可能なものであり、
前記制御装置が前記シリアルデータ信号線から出力する信号は、前記駆動パターン信号の送信対象の前記ドライバの前記固有アドレスを示すものであって、前記送信開始信号の出力後で、前記駆動パターン信号の出力前に出力されるアドレス信号を含み、
前記ドライバは、当該ドライバの前記固有アドレスを示す前記アドレス信号を受信した場合は、該アドレス信号の受信後に受信する前記駆動パターン信号が示す駆動パターンで前記駆動対象物を駆動させるよう構成されていることを特徴とする請求項１に記載の遊技機。
【請求項３】
前記各ドライバは、ＬＥＤ点灯用のドライバＩＣであり、
前記駆動装置ユニットは、複数の前記ドライバＩＣと、該ドライバＩＣに接続された複数のＬＥＤと、前記クロック信号出力回路とを同一基板上に配設してなるものであり、
前記制御装置が前記シリアルデータ信号線から出力する信号は、前記基板上の配線で分岐して、前記各ドライバＩＣの前記シリアル信号入力部に入力されることを特徴とする請求項２に記載の遊技機。
【請求項４】
前記制御装置は、少なくとも前記駆動パターン信号を、複数通りの周波数で出力可能であり、かつ、前記クロック信号出力回路は、前記複数通りの周波数でクロック信号を出力可能に構成されており、
前記制御装置が前記シリアルデータ信号線から出力する信号は、前記駆動パターン信号の出力前に、所定の周波数で出力される周波数設定信号を含み、
該周波数設定信号は、前記駆動パターン信号の周波数を示すものであり、
前記クロック信号出力回路は、前記シリアルデータ信号線から入力される前記周波数設定信号の示す周波数で、前記クロック信号を、前記各ドライバの前記クロック信号入力部に出力することを特徴とする請求項２又は請求項３に記載の遊技機。
【請求項５】
前記制御装置と前記駆動装置ユニットはワイヤハーネスを介して接続され、該ワイヤハーネスによって、前記シリアルデータ信号線が構成されることを特徴とする請求項１乃至請求項４のいずれか１項に記載の遊技機。
【発明の詳細な説明】
【技術分野】
【０００１】
本発明は、駆動対象物を駆動するドライバと、該ドライバを介して前記駆動対象物の駆動パターンを制御する制御装置とを備える遊技機に関する。
【背景技術】
【０００２】
スロットマシン等の遊技機は、ＬＥＤ（発光ダイオード）などの駆動対象物を駆動するためのドライバを複数備えている。こうしたドライバは、制御装置と接続されて、制御装置が送信する駆動パターンにしたがって駆動対象物を駆動させるよう構成されている（例えば、特許文献１）。具体的には、特許文献１に記載の構成では、制御装置（演出制御基板）とドライバ（ＬＥＤドライバ）が、シリアルデータ信号線や、クロック信号線などを介して接続されており、駆動対象物の駆動パターンを、クロック信号線から送信する同期用のクロック信号に合わせて、シリアルデータ信号線からシリアル形式でドライバに転送するよう構成されている。
【先行技術文献】
【特許文献】
【０００３】
【特許文献１】特開２００９−０７２２８９号公報  図６，７
【発明の概要】
【発明が解決しようとする課題】
【０００４】
ところで、近年では、筐体内スペースの簡素化やノイズ低減を目的として、制御装置とドライバ間の信号線の本数を削減することが望まれている。上記特許文献１のドライバ（ＬＥＤドライバ）のように、駆動パターンを一本の信号線で送信するシリアル形式で転送すれば、複数の信号線で並列的に送信するパラレル形式に比べて制御装置とドライバ間の信号線を減らすことができる。しかしながら、遊技機で使用される一般的なドライバのうち、駆動パターンをシリアル形式で受信するものは、クロック信号の入力を必要とするため、制御装置とドライバの間には、シリアルデータ信号線の他に、少なくともクロック信号線を設ける必要がある。
【０００５】
本発明は、かかる現状に鑑みてなされたものであり、比較的簡易な回路構成によって、制御装置とドライバ間の信号線を低減可能な遊技機の提供を目的とする。
【課題を解決するための手段】
【０００６】
本発明は、駆動対象物を駆動するドライバと、該ドライバを介して前記駆動対象物の駆動パターンを制御する制御装置とを備える遊技機にあって、前記ドライバが配設され、前記制御装置とは別体の駆動装置ユニットと、前記制御装置から前記駆動装置ユニットにシリアル形式で信号を転送するシリアルデータ信号線とを備え、前記ドライバは、クロック信号が入力されるクロック信号入力部と、シリアル形式の信号が入力されるシリアル信号入力部とを備え、前記クロック信号入力部に入力されるクロック信号に合わせて、前記シリアル信号入力部に入力される信号を受信するものであり、前記駆動装置ユニットは、前記駆動装置ユニットに配設された前記ドライバの前記クロック信号入力部にクロック信号を出力するクロック信号出力回路を備え、前記シリアルデータ信号線を介して前記制御装置から入力される信号は、前記ドライバの前記シリアル信号入力部と、前記クロック信号出力回路とに入力されるよう構成されており、前記制御装置が前記シリアルデータ信号線から出力する信号は、前記駆動対象物の駆動パターンを示す駆動パターン信号と、該駆動パターン信号の出力前に出力される所定の送信開始信号と、該駆動パターン信号の出力後に出力される所定の信号とを含み、前記クロック信号出力回路は、前記シリアルデータ信号線から前記送信開始信号が入力されるまでは、前記ドライバの前記クロック信号入力部にクロック信号を出力せず、前記シリアルデータ信号線から前記送信開始信号が入力されると、前記ドライバの前記クロック信号入力部にクロック信号の出力を開始し、前記シリアルデータ信号線から前記所定の信号が入力されると、クロック信号の出力を停止するよう構成されていることを特徴とする遊技機である。
【０００７】
かかる構成にあっては、クロック信号出力回路が各ドライバにクロック信号を出力するため、制御装置からドライバへのクロック信号の送信が不要となり、制御装置とドライバ間のクロック信号線を省略できる。また、ドライバは、クロック信号に合わせて駆動パターンをシリアル形式で受信する一般的なドライバを使用できる。ここで、クロック信号出力回路は、ドライバと同じ駆動装置ユニットに配設されるものであり、制御装置に比べてドライバの近傍に配置されるため、クロック信号出力回路からドライバへのクロック信号線は、制御装置とドライバの間にクロック信号線を設けるよりも、簡単に配設できるという利点がある。また、本発明にあって、駆動装置ユニットに配設される複数のドライバに対して、単一のクロック信号出力回路がクロック信号を送信するよう構成した場合は、駆動装置ユニットに配設されるドライバの数に関わらず、駆動装置ユニットに単一のクロック信号出力回路を配設すれば足り、回路構成が複雑化することもない。したがって、本発明によれば、比較的簡易な回路構成によって、制御装置とドライバ間の信号線を低減することができる。
【０００８】
本発明にあって、前記駆動装置ユニットは、前記ドライバを複数備えており、該複数のドライバは、固有アドレスを夫々設定可能なものであり、前記制御装置が前記シリアルデータ信号線から出力する信号は、前記駆動パターン信号の送信対象の前記ドライバの前記固有アドレスを示すものであって、前記送信開始信号の出力後で、前記駆動パターン信号の出力前に出力されるアドレス信号を含み、前記ドライバは、当該ドライバの前記固有アドレスを示す前記アドレス信号を受信した場合は、該アドレス信号の受信後に受信する前記駆動パターン信号が示す駆動パターンで前記駆動対象物を駆動させるよう構成されていることが提案される。
【０００９】
かかる構成にあっては、制御装置と駆動装置ユニット間に、シリアルデータ信号線を一本設けるだけで、駆動装置ユニットに配設された全てのドライバを制御可能となるため、制御装置とドライバ間の信号線の本数を最低限に抑えることが可能となる。
【００１０】
本発明の具体的な態様として、前記各ドライバは、ＬＥＤ点灯用のドライバＩＣであり、前記駆動装置ユニットは、複数の前記ドライバＩＣと、該ドライバＩＣに接続された複数のＬＥＤと、前記クロック信号出力回路とを同一基板上に配設してなるものであり、前記制御装置が前記シリアルデータ信号線から出力する信号は、前記基板上の配線で分岐して、前記各ドライバＩＣの前記シリアル信号入力部に入力される構成が提案される。
また、本発明にあって、前記制御装置は、少なくとも前記駆動パターン信号を、複数通りの周波数で出力可能であり、かつ、前記クロック信号出力回路は、前記複数通りの周波数でクロック信号を出力可能に構成されており、前記制御装置が前記シリアルデータ信号線から出力する信号は、前記駆動パターン信号の出力前に、所定の周波数で出力される周波数設定信号を含み、該周波数設定信号は、前記駆動パターン信号の周波数を示すものであり、前記クロック信号出力回路は、前記シリアルデータ信号線から入力される前記周波数設定信号の示す周波数で、前記クロック信号を、前記各ドライバの前記クロック信号入力部に出力することが提案される。
【００１１】
一般的に、シリアル信号入力部に入力すべき適正周波数は、ドライバ自体の特性や、ドライバが駆動する駆動対象物の特性によって決定されるが、かかる構成にあっては、制御装置からドライバに対して、複数通りの周波数で駆動パターン信号を送信可能となるため、入力信号の適正周波数が相違するドライバが駆動装置ユニットに複数配設される場合でも、単一のクロック信号出力回路を用いて、駆動対象物を制御するための信号を所要のドライバに適切に受信させることが可能となる。
【００１２】
また、本発明にあって、前記制御装置と前記駆動装置ユニットはワイヤハーネスを介して接続され、該ワイヤハーネスによって、前記シリアルデータ信号線が構成されることが提案される。
【００１３】
かかる構成にあっては、ワイヤハーネスにクロック信号線が不要となるため、ワイヤハーネスを簡素化可能となる。
【図面の簡単な説明】
【００１４】
【図１】実施例１のスロットマシン１の斜視図である。
【図２】演出用ランプ１２ａ，１２ｂの点灯制御に係る回路構成を示すブロック図である。
【図３】右ＬＥＤユニット１４ａに係る回路構成を示すブロック図である。
【図４】ＬＥＤドライバ１５ａ〜１５ｃの作動を示すタイミングチャートである。
【図５】点灯制御信号の内容を示す図表である。
【図６】クロック信号出力回路１８の構成を示すブロック図である。
【図７】右ＬＥＤユニット１４ａの点灯制御態様を示すタイミングチャートである。
【図８】図７から続く、右ＬＥＤユニット１４ａの点灯制御態様を示すタイミングチャートである。
【図９】実施例２に係る右ＬＥＤユニット１４ｃに係る回路構成を示すブロック図である。
【図１０】実施例２に係る右ＬＥＤユニット１４ｃの点灯制御態様を示すタイミングチャートである。
【発明を実施するための形態】
【００１５】
本発明をスロットマシンに適用した実施形態を、以下の実施例に従って説明する。
なお、下記実施例にあって、本発明に係る制御装置はサブ制御装置２１に相当し、本発明に係る駆動装置ユニットはＬＥＤユニット１４ａ〜１４ｃに相当する。また、本発明に係るドライバはＬＥＤドライバ１５ａ〜１５ｆに相当し、クロック信号入力部は入力端子ＣＬＫに、シリアル信号入力部は入力端子ＳＩＮに夫々相当する。また、本発明に係る駆動対象物はＬＥＤ１６に相当し、駆動対象物の駆動パターンは、ＬＥＤ１６の点灯パターンに相当する。また、本発明に係る制御装置がシリアルデータ信号線から出力する信号は、点灯制御信号に相当し、本発明に係る駆動パターン信号はデータ部に、本発明に係るアドレス信号はアドレス部に、本発明に係る周波数設定信号はＩＤビットに夫々相当する。また、本発明に係る送信開始信号は、実施例１ではスタートビット及びＩＤビットに相当し、実施例２ではスタートビットに相当する。
【実施例１】
【００１６】
図１に示すように、スロットマシン１の筐体２は前方に開放しており、前方から前扉３によって覆われている。前扉３の中央部には、筐体２の内部に配設された三つのリール９を視認するための視認窓４が設けられる。そして、前扉３の前面側には、視認窓４の下方に、遊技操作に用いるベットスイッチ５ａ，５ｂ、スタートスイッチ６、ストップスイッチ７などの各種スイッチが配設される。また、視認窓４の上方には、演出用の画像を表示する画像表示器１０が配設される。画像表示器１０は、液晶表示装置からなるものであり、前扉３の上部に嵌め込まれている。そして、前扉３の前面両側部には、演出用ランプ１２ａ，１２ｂが配設される。演出用ランプ１２ａ，１２ｂは、前扉３の右側に配設される右演出用ランプ１２ａと、前扉３の左側に配設される左演出用ランプ１２ｂとからなる。各演出用ランプ１２ａ，１２ｂは、複数のＬＥＤを具備するＬＥＤユニットを、透光性のカバー体で覆ってなるものである。
【００１７】
図２は、演出用ランプ１２ａ，１２ｂの点灯制御に係る制御回路である。
スロットマシン１は、メイン制御装置２０とサブ制御装置２１の２つの制御装置を筐体２の内部に備えている。メイン制御装置２０は、主に遊技に係る制御を実行するものであり、サブ制御装置２１は、演出に係る制御を実行するものである。すなわち、各演出用ランプ１２ａ，１２ｂの点灯パターンは、サブ制御装置２１よって制御される。具体的には、メイン制御装置２０とサブ制御装置２１は、ＣＰＵやＲＡＭ、ＲＯＭ等が配設された基板によって構成されており、ワイヤハーネスによって相互接続される。メイン制御装置２０からサブ制御装置２１へは、遊技に係る情報が逐次送信され、サブ制御装置２１は、メイン制御装置２０から受信する情報に基づいて、演出用ランプ１２ａ，１２ｂの各ＬＥＤ１６の点灯パターンを決定し、決定した点灯パターンで各ＬＥＤ１６を点灯させるために、各演出用ランプ１２ａ，１２ｂに点灯制御信号を送信する。詳述すると、サブ制御装置２１は、右演出用ランプ１２ａを構成する右ＬＥＤユニット１４ａと、ワイヤハーネスによって構成される一本のシリアルデータ信号線２４を介して接続されており、サブ制御装置２１は、決定した点灯パターンで右演出用ランプ１２ａのＬＥＤ１６を点灯させるために、シリアルデータ信号線２４を介して右ＬＥＤユニット１４ａに点灯制御信号をシリアル形式で送信する。同様に、サブ制御装置２１は、左演出用ランプ１２ｂを構成する左ＬＥＤユニット１４ｂと、別のワイヤハーネスによって構成されるシリアルデータ信号線２４を介して接続されており、サブ制御装置２１は、決定した点灯パターンで左演出用ランプ１２ｂのＬＥＤ１６を点灯させるために、シリアルデータ信号線２４を介して左ＬＥＤユニット１４ｂに点灯制御信号を送信する。なお、本実施例では、左右の演出用ランプ１２ａ，１２ｂのＬＥＤユニット１４ａ，１４ｂは同一構成であり、また、サブ制御装置２１が演出用ランプ１２ａ，１２ｂを制御する態様も左右で共通であるため、以下では、右演出用ランプ１２ａの点灯制御についてのみを説明し、左演出用ランプ１２ｂの点灯制御の詳細説明を省略する。
【００１８】
図２に示すように、右演出用ランプ１２ａを構成する右ＬＥＤユニット１４ａは、３つのＬＥＤドライバ１５ａ〜１５ｃと、１つのクロック信号出力回路１８と、１２個のＬＥＤ１６とを１枚の基板上に配設してなるものである。３つのＬＥＤドライバ１５ａ〜１５ｃは、第一ＬＥＤドライバ１５ａと、第二ＬＥＤドライバ１５ｂと、第三ＬＥＤドライバ１５ｃとからなる。１２個のＬＥＤ１６は、各ＬＥＤドライバ１５ａ〜１５ｃに４個ずつ接続されており、各ＬＥＤドライバ１５ａ〜１５ｃは、サブ制御装置２１から送信される点灯制御信号にしたがって、各ＬＥＤ１６を点灯／消灯させるよう構成されている。クロック信号出力回路１８は、サブ制御装置２１が点灯制御信号を送信する際に、各ＬＥＤドライバ１５ａ〜１５ｃにクロック信号を送信するものである。
【００１９】
図３は、右演出用ランプ１２ａのＬＥＤ１６の点灯制御に係る回路構成を示すブロック図である。
ＬＥＤドライバ１５ａ〜１５ｃは、既存の遊技機でも使用され得る、ＬＥＤ点灯用の一般的なドライバＩＣである。図３に示すように、各ＬＥＤドライバ１５ａは、ＯＵＴ０〜ＯＵＴ３の４つの出力端子と、ＳＩＮとＣＬＫの２つの入力端子とを備えている。出力端子ＯＵＴ０〜ＯＵＴ３には、ＬＥＤ１６が一個ずつ接続されており、各出力端子ＯＵＴ０〜ＯＵＴ３がＯＮであるときに、当該出力端子に接続されたＬＥＤ１６に電流が流れて点灯するよう構成される。一方、ＣＬＫとＳＩＮの入力端子には、Ｈ（ハイ電圧）又はＬ（ロー電圧）のデジタル信号が入力される。ＣＬＫは、クロック信号が入力される入力端子であり、ＳＩＮは、シリアル形式の制御信号が入力される入力端子であり、各ＬＥＤドライバ１５ａ〜１５ｃは、ＣＬＫに入力されるクロック信号に合わせてＳＩＮに入力される制御信号を受信する。
【００２０】
各ＬＥＤドライバ１５ａ〜１５ｃは、入力端子ＳＩＮに所定形式の制御信号を入力することで、当該制御信号に含まれる情報にしたがってＬＥＤ１６を点灯／消灯させる。図４に示すように、ＳＩＮに入力する制御信号の形式は、８ビットの始端部と、４ビットのアドレス部と、４ビットのデータ部と、８ビットの終端部とからなる。始端部と終端部は、制御信号の始端と終端を示すものであり、特有のビットパターン（始端部：１１１１１１１１，終端部：１００００００１）からなるものである。
【００２１】
アドレス部は、データ部の送信対象のＬＥＤドライバ１５ａ〜１５ｃを示すものであり、データ部の直前に送信される。具体的には、各ＬＥＤドライバ１５ａ〜１５ｃは、４ビットの固有アドレスを設定可能な固有アドレス設定部（図示省略）を備えており、各ＬＥＤドライバ１５ａ〜１５ｃの固有アドレス設定部には、夫々異なる固有アドレスが記憶保持されている。制御信号のアドレス部は、データ部の送信対象のＬＥＤドライバ１５ａ〜１５ｃの固有アドレスからなり、各ＬＥＤドライバ１５ａ〜１５ｃは、制御信号に含まれる固有アドレスが固有アドレス設定部に記憶された固有アドレスと一致しない場合はデータ部を無効とする。
【００２２】
データ部は、送信対象のＬＥＤドライバ１５ａ〜１５ｃに接続された４個のＬＥＤ１６の点灯パターンを示す信号である。具体的には、４ビットのデータ部の各ビットが、４つの出力端子ＯＵＴ１〜ＯＵＴ３に接続されたＬＥＤ１６の点灯パターン（０：消灯、１：点灯）を示している。すなわち、データ部が「１００１」の場合は、ＯＵＴ０とＯＵＴ３に接続されたＬＥＤ１６が点灯し、ＯＵＴ１とＯＵＴ２に接続されたＬＥＤ１６は消灯する点灯パターンを示している。
【００２３】
ＬＥＤドライバ１５ａ〜１５ｃの作動を、図４のタイミングチャートにしたがって説明する。
ＬＥＤドライバ１５ａ〜１５ｃは、クロック信号に合わせてＳＩＮに制御信号が入力されると、始端部が入力された図４中のＴ０時点で当該始端部のビットパターンを検出し、その後に入力される４ビットのアドレス部を、固有アドレス設定部に記憶された固有アドレスと比較する。そして、図４中のＴ１時点で、アドレス部が固有アドレスと一致していない場合は、その後に受信するデータ部を無効とする。一方、自己のアドレスと一致する場合は、その後に入力される４ビットのデータ部を記憶し、終端部が入力された図４中のＴ２時点で出力端子ＯＵＴ０〜ＯＵＴ３の出力を切り替えて、データ部の示す点灯パターンで４個のＬＥＤ１６を点灯／消灯させる。
【００２４】
このように、右ＬＥＤユニット１４ａに配設される三つのＬＥＤドライバ１５ａ〜１５ｃは、いずれも上記形式の制御信号を送信することによって、ＬＥＤ１６の点灯制御を行うことができる。なお、各ＬＥＤドライバ１５ａ〜１５ｃは、ＬＥＤドライバ１５ａ〜１５ｃ自体の特性や、各ＬＥＤドライバ１５ａ〜１５ｃに接続されるＬＥＤ１６の特性によって決定される適正周波数があり、上記形式の制御信号であっても、適正周波数を外れた周波数で入力された場合には、ＬＥＤ１６を正しく点灯・消灯させることができなくなるおそれがある。ここで、本実施例では、各ＬＥＤドライバ１５ａ〜１５ｃの適正周波数が、ＬＥＤドライバ１５ａ〜１５ｃ毎に相違している。具体的には、第一ＬＥＤドライバ１５ａの適正周波数は１００ｋＨｚ〜４００ｋＨｚであり、第二ＬＥＤドライバ１５ｂの適正周波数は５００ｋＨｚ〜１ＭＨｚであり、第三ＬＥＤドライバ１５ｃの適正周波数は２ＭＨｚ〜５ＭＨｚである。このため、後述するように、サブ制御装置２１が右ＬＥＤユニット１４ａに送信する点灯制御信号は、信号形式は一定であるが、送信対象のＬＥＤドライバ１５ａ〜１５ｃの適正周波数に応じて送信周波数が変動することとなる。
【００２５】
上述のように、サブ制御装置２１と右ＬＥＤユニット１４ａは、ワイヤハーネスからなる一本のシリアルデータ信号線２４で接続されている。このシリアルデータ信号線２４は、図３に示すように、右ＬＥＤユニット１４ａの基板上の配線で分岐して、全てのＬＥＤドライバ１５ａ〜１５ｃの入力端子ＳＩＮと、クロック信号出力回路１８の入力端子に接続されている。一方、右ＬＥＤユニット１４ａのＬＥＤドライバ１５ａ〜１５ｃの入力端子ＣＬＫと、クロック信号出力回路１８の出力端子は、クロック信号線２５によって接続されており、該クロック信号線２５を介して、クロック信号出力回路１８から各ＬＥＤドライバ１５ａ〜１５ｃの入力端子ＣＬＫにクロック信号が入力される。クロック信号出力回路１８とＬＥＤドライバ１５ａ〜１５ｃは、右ＬＥＤユニット１４ａの基板に配設されているため、シリアルデータ信号線２４がワイヤハーネスによって構成されるのに対して、クロック信号線２５は、右ＬＥＤユニット１４ａの基板上の配線のみによって構成される。
【００２６】
サブ制御装置２１は、演出全般に係る制御を行うサブＣＰＵ２２を備えている。サブＣＰＵ２２は、メイン制御装置２０から受信した情報や乱数抽選の結果に基づいて演出内容を決定し、決定した演出内容を実現するために画像表示器１０や演出用ランプ１２ａ，１２ｂを制御する。右演出用ランプ１２ａの点灯制御に関しては、サブＣＰＵ２２は、決定した演出内容に沿った点灯パターンでＬＥＤ１６を点灯させるために、所定形式の点灯制御信号を右ＬＥＤユニット１４ａに送信する。
【００２７】
図５は、サブ制御装置２１が右ＬＥＤユニット１４ａに送信する点灯制御信号の内容を示したものである。点灯制御信号は、スタートビットと、ＩＤビットと、始端部と、アドレス部と、データ部と、終端部とからなる。始端部、アドレス部、データ部、及び終端部は、ＬＥＤドライバ１５ａ〜１５ｃの制御信号に相当する部分であり、それらの内容は上述した通りである。一方、スタートビット及びＩＤビットは、クロック信号出力回路１８にクロック信号を出力させるための信号であり、ＬＥＤドライバ１５ａ〜１５ｃの制御信号を送信する前に送信される。スタートビットは、クロック信号出力回路１８が、点灯制御信号の先頭を検出するための１ビットの信号である。また、ＩＤビットは、当該点灯制御信号の、ＩＤビット以降の送信周波数を示す８ビットの信号である。サブ制御装置２１は、スタートビット及びＩＤビットについては、常に一定の初期周波数で送信するが、ＩＤビット以降の始端部から終端部までは、データ部の送信対象のＬＥＤドライバ１５ａ〜１５ｃに応じた周波数で送信する。具体的には、ＩＤビット以降の点灯制御信号は、第一周波数、第二周波数及び第三周波数のいずれかで送信する。第一周波数は、第一ＬＥＤドライバ１５ａの適正周波数（１００ｋＨｚ〜４００ｋＨｚ）に含まれる特定の周波数であり、第二周波数は、第二ＬＥＤドライバ１５ｂの適正周波数（５００ｋＨｚ〜１ＭＨｚ）に含まれる特定の周波数であり、第三周波数は、第三ＬＥＤドライバ１５ｃの適正周波数（２ＭＨｚ〜５ＭＨｚ）に含まれる特定の周波数である。すなわち、ＩＤビットは、当該点灯制御信号の始端部から終端部までを、第一周波数、第二周波数及び第三周波数のいずれで送信するかを、クロック信号出力回路１８に通知するための信号である。
【００２８】
クロック信号出力回路１８は、シリアルデータ信号線２４から点灯制御信号のスタートビット及びＩＤビットが入力されると、各ＬＥＤドライバ１５ａ〜１５ｃの入力端子ＣＬＫにクロック信号の出力開始するよう構成されたものである。具体的には、図６に示すように、クロック信号出力回路１８は、入力端子３１と、シリアルパラレル変換回路３２と、二つの比較器３３ａ，３３ｂと、ラッチ回路３４と、発振回路３５と、周波数変換回路３６と、出力端子３７と、を備えている。入力端子３１は、シリアルデータ信号線２４と接続されており、サブ制御装置２１から点灯制御信号が入力される。入力端子３１に入力された点灯制御信号は、ラッチ回路３４とシリアルパラレル変換回路３２に入力される。発振回路３５は、水晶振動子やセラミック発振子等を具備してなるものであり、ラッチ回路３４によって、所定周波数の基本クロックを出力する作動状態と、基本クロックの出力を停止する休止状態とに制御される。ラッチ回路３４は、発振回路３５を休止状態に制御した状態では、点灯制御信号のスタートビットを検出することにより発振回路３５を作動状態に制御する状態に切り替り、また、発振回路３５を作動状態に制御した状態では、リセット信号が入力されることにより発振回路３５を休止状態に制御する状態に切り替わるよう構成されている。
【００２９】
シリアルパラレル変換回路３２は、シリアル形式の点灯制御信号を内部クロック信号に合わせて取り込んで、パラレル形式の信号に変換して二つの比較器３３ａ，３３ｂに出力するものである。メモリ３８は、各ＩＤビットのビットパターンと、終端部のビットパターンを記憶しており、各ＩＤビットのビットパターンを一方の比較器３３ａに、終端部のビットパターンを他方の比較器３３ｂに出力する。前記一方の比較器３３ａは、点灯制御信号に含まれるビットパターンが、いずれかのＩＤビットのビットパターンと一致すると、当該ＩＤビットに対応する周波数切換信号を周波数変換回路３６に出力する。前記他方の比較器３３ｂは、点灯制御信号に含まれるビットパターンが、終端部のビットパターンと一致すると、ラッチ回路３４と周波数変換回路３６にリセット信号を出力する。
【００３０】
周波数変換回路３６は、発振回路３５から入力される基本クロックに基づいてクロック信号を出力するものである。この周波数変換回路３６は、初期周波数、第一周波数、第二周波数、及び第三周波数の４種類の周波数でクロック信号を選択的に出力可能に構成されている。周波数変換回路３６が出力するクロック信号は、シリアルパラレル変換回路３２に出力する内部クロック信号と、出力端子３７を介してクロック信号線２５に出力する外部クロック信号とからなる。周波数変換回路３６は、リセット信号によってリセットされた状態では、基本クロックに基づいて初期周波数で内部クロック信号を出力する。かかる状態では周波数変換回路３６は、外部クロック信号を出力しない。また、周波数変換回路３６は、比較器３３ａから周波数切換信号が入力された状態では、当該周波数切換信号が示す周波数（ＩＤビットが示す周波数）を選択し、基本クロックに基づいて当該周波数で内部クロック信号と外部クロック信号を出力するよう構成されている。
【００３１】
図７，８は、右ＬＥＤユニット１４ａの具体的な点灯制御態様を示すタイミングチャートである。
図７，８のタイミングチャートでは、図７中のＴ０時点で、サブ制御装置２１が点灯制御信号の送信を開始し、図８中のＴ３の時点で当該点灯制御信号の送信が完了する。この点灯制御信号は、第一ＬＥＤドライバ１５ａを送信対象とするものであり、かかる点灯制御信号は、スタートビット及びＩＤビットは初期周波数で送信され、ＩＤビット以降（始端部、アドレス部、データ部、終端部）は第一周波数で送信される。なお、Ｔ０時点以前は、クロック信号出力回路１８は、ラッチ回路３４及び周波数変換回路３６がリセットされた状態であり、周波数変換回路３６は、内部クロック信号及び外部クロック信号を出力していない。また、各ＬＥＤドライバ１５ａ〜１５ｃは、Ｔ０時点以前に受信した点灯制御信号にしたがって、夫々のＬＥＤ１６を点灯／消灯させている。
【００３２】
Ｔ０時点で点灯制御信号の送信が開始されると、Ｔ１時点で、ラッチ回路３４がスタートビットを検出する。これにより発振回路３５が作動状態となって基本クロックの出力を開始し、さらに、周波数変換回路３６が初期周波数の内部クロック信号をシリアルパラレル変換回路３２に出力する。これにより、Ｔ１時点以後は、シリアルパラレル変換回路３２が、初期周波数で送信されるＩＤビット等を内部クロック信号に合わせて取り込んで、パラレル形式で比較器３３ａ，３３ｂに出力する。そして、Ｔ２の時点でＩＤビットの送信が完了すると、比較器３３ａが、入力されたＩＤビットに応じた周波数切換信号を周波数変換回路３６に出力する。これにより、Ｔ２時点以後は、周波数変換回路３６は、ＩＤビットが示す周波数（ここでは、第一周波数）で内部クロック信号と外部クロック信号を出力する。なお、Ｔ２時点以前は、周波数変換回路３６が外部クロック信号を出力しておらず、ＬＥＤドライバ１５ａ〜１５ｃの入力端子ＣＬＫにクロック信号が入力されないため、ＬＥＤドライバ１５ａ〜１５ｃの入力端子ＳＩＮに入力されるスタートビットやＩＤビットは、ＬＥＤドライバ１５ａ〜１５ｃに取り込まれることはない。
【００３３】
このため、図７，８のタイミングチャートでは、Ｔ２時点以後は、サブ制御装置２１が、点灯制御信号が、クロック信号（外部クロック信号）とともに、第一周波数で各ＬＥＤドライバ１５ａ〜１５ｃに入力される。ここで、第一周波数は、当該点灯制御信号の送信対象の第一ＬＥＤドライバ１５ａの適正周波数に含まれる特定の周波数であり、かつ、Ｔ２時点以後に出力される点灯制御信号（始端部、アドレス部、データ部、終端部）は、ＬＥＤドライバ１５ａ〜１５ｃの制御信号に相当する部分である。このため、Ｔ２時点以後の点灯制御信号は、送信対象の第一ＬＥＤドライバ１５ａで正常に受信され、Ｔ３時点で、終端部の入力が完了すると、第一ＬＥＤドライバ１５ａは、データ部が示す点灯パターンで各ＬＥＤ１６を点灯／消灯させることとなる。
【００３４】
また、図７，８のタイミングチャートでは、Ｔ２時点以後は、クロック信号出力回路１８の内部クロック信号も当該点灯制御信号と同じ第一周波数で出力されるため、シリアルパラレル変換回路３２は、Ｔ２時点以後の点灯制御信号もパラレル形式に変換して出力する。このため、Ｔ３の時点で終端部の入力が完了すると、該終端部のビットパターンを比較器３３ｂが検出して、ラッチ回路３４と周波数変換回路３６がリセットされる。これにより、発振回路３５が休止状態に切り替わり、周波数変換回路３６が内部クロック信号及び外部クロック信号の出力を停止する。すなわち、クロック信号出力回路１８は、点灯制御信号の入力終了とともに、点灯制御信号入力前の状態に復帰することとなる。
【００３５】
以上のように、本実施例によれば、サブ制御装置２１とＬＥＤドライバ１５ａ〜１５ｃの間にクロック信号線を配設することなく、ＬＥＤ１６の点灯制御を行うことが可能となる。なお、本実施例では、ＬＥＤドライバ１５ａ〜１５ｃへのクロック信号が、クロック信号出力回路１８から送信されるが、クロック信号出力回路１８は、ＬＥＤドライバ１５ａ〜１５ｃと同じＬＥＤユニット１４ａ，１４ｂに配設されて、サブ制御装置２１に比べて各ＬＥＤドライバ１５ａ〜１５ｃの極めて近くに配置されるため、サブ制御装置２１とＬＥＤドライバ１５ａ〜１５ｃの間にクロック信号線を設ける場合に比べて信号経路を短縮できる。また、ＬＥＤドライバ１５ａ〜１５ｃとクロック信号出力回路１８の間のクロック信号線２５は、右ＬＥＤユニット１４ａの基板上の配線のみで実現できるため、ワイヤハーネスによって構成されるサブ制御装置２１とＬＥＤドライバ１５ａ〜１５ｃの間の信号線に比べて低廉に、かつ簡単に配設可能である。したがって、本実施例によれば、簡易な回路構成によって、サブ制御装置２１とＬＥＤドライバ１５ａ〜１５ｃの間の信号線を低減可能となる。
【００３６】
また、本実施例では、クロック信号出力回路１８から、各ＬＥＤドライバ１５ａ〜１５ｃにクロック信号を送信するため、ＬＥＤ点灯用の一般的なドライバＩＣをＬＥＤドライバとして使用でき、高価なＬＥＤドライバは不要である。また、本実施例に係るクロック信号出力回路１８は、各ＬＥＤドライバ１５ａ〜１５ｃに対して共通のクロック信号を出力するため、ＬＥＤユニット１４ａ，１４ｂに多数のＬＥＤドライバ１５ａ〜１５ｃを配設する場合であっても、クロック信号出力に係る回路構成が複雑にならないという利点がある。
【００３７】
また、本実施例に係るＬＥＤドライバ１５ａ〜１５ｃは、シリアルデータ信号線とクロック信号線の２線で制御するＬＥＤドライバであるため、サブ制御装置２１とＬＥＤユニット１４ａ，１４ｂの間のクロック信号線を省略することで、サブ制御装置２１とＬＥＤユニット１４の間の信号線を１本にまで低減できるという利点がある。
【００３８】
また、本実施例では、サブ制御装置２１が、点灯制御信号の始端部から終端部までを、データ部の送信対象のＬＥＤドライバ１５ａ〜１５ｃの適正周波数で選択的に送信するとともに、始端部の送信前に、始端部から終端部までの送信周波数を示すＩＤビットを送信して、クロック信号出力回路１８がＩＤビットが示す送信周波数で外部クロック信号を出力するよう構成されているため、本実施例のように、各ＬＥＤドライバ１５ａ〜１５ｃの適正周波数が相違する場合であっても、所要のＬＥＤドライバ１５ａ〜１５ｃに適切に点灯制御信号を受信させることができるという利点がある。
【実施例２】
【００３９】
本実施例は、上記実施例１から右ＬＥＤユニットの構成を変更したものである。このため、実施例１と共通する構成については、文中及び図中で共通符号を付して説明を省略する。
図９に示すように、本実施例の右ＬＥＤユニット１４ｃは、実施例１と同様に、三つのＬＥＤドライバ１５ｄ〜１５ｆと、クロック信号出力回路１８ａと、１２個のＬＥＤ１６を基板上に配設してなるものであり、各ＬＥＤドライバ１５ｄ〜１５ｆが具備する４つの出力端子ＯＵＴ０〜ＯＵＴ１１に、ＬＥＤ１６が１個ずつ接続されている。
【００４０】
右ＬＥＤユニット１４ｃに配設された各ＬＥＤドライバ１５ｄ〜１５ｆは、点灯パターンを示すデータ信号と、クロック信号と、ラッチ信号の３つの信号で制御するタイプのＬＥＤドライバである。具体的には、各ＬＥＤドライバ１５ｄ〜１５ｆは、データ信号を入力する入力端子ＳＩＮと、クロック信号を入力する入力端子ＣＬＫと、ラッチ信号を入力する入力端子ＬＡＴＣＨとを備えてなり、クロック信号に合わせてデータ信号を取り込んで、ラッチ信号の入力を契機にデータ信号の示す点灯パターンでＬＥＤ１６の点灯／消灯させるよう構成されている。かかるＬＥＤドライバは、ＬＥＤ点灯用の一般的なドライバＩＣであるため、詳細な説明は省略する。
【００４１】
サブ制御装置２１と右ＬＥＤユニット１４ｃは、データ信号を転送するシリアルデータ信号線２４と、ラッチ信号を転送するラッチ信号線２６の２本の信号線によって相互接続される。これらの信号線２４，２６はワイヤハーネスによって構成されるものである。ここで、３つのＬＥＤドライバ１５ｄ〜１５ｆは、シリアルデータ信号線２４に対してカスケード接続される。すなわち、サブ制御装置２１がシリアルデータ信号線２４から送信する点灯制御信号は、まず、第一ＬＥＤドライバ１５ｄの入力端子ＳＩＮに入力され、その後、第一ＬＥＤドライバ１５ｄの出力端子ＳＯＵＴから、第二ドライバ１５ｅの入力端子ＳＩＮに入力され、第二ＬＥＤドライバ１５ｅの出力端子ＳＯＵＴから、第三ＬＥＤドライバ１５ｆの入力端子ＳＩＮに入力される。一方、ラッチ信号線２６は、右ＬＥＤユニット１４ｃの基板上の配線で分岐して、全てのＬＥＤドライバ１５ｄ〜１５ｆの入力端子ＬＡＴＣＨに接続される。
【００４２】
また、シリアルデータ信号線２４は、基板上の配線で分岐して、クロック信号出力回路１８ａの入力端子に入力される。また、実施例１と同様に、クロック信号出力回路１８ａの出力端子は、クロック信号線２５によって接続されており、該クロック信号線２５を介して、クロック信号出力回路１８ａから各ＬＥＤドライバ１５ｄ〜１５ｆにクロック信号が入力される。
【００４３】
サブ制御装置２１がシリアルデータ信号線２４から送信する点灯制御信号は、１ビットのスタートビットと、１２個のＬＥＤの点灯パターンを示す１２ビットのデータ部とからなる。かかる点灯制御信号は、常に所定周波数で送信される。これに対して、クロック信号出力回路１８ａは、点灯制御信号のスタートビットを検出すると、データ部の送信に合わせて、所定周波数のクロック信号を１２パルス送信するよう構成される。具体的には、クロック信号出力回路１８ａは、点灯制御信号のスタートビットを検出する検出回路と、基本クロックを出力する発振回路と、検出回路のスタートビットの検出を契機に所定周波数のクロック信号を出力する周波数変換回路と、周波数変換回路の出力するクロック信号をクロック信号線に出力する出力端子と、周波数変換回路の出力するクロック信号のパルスをカウントし、出力パルスが１２パルスに達した時点で、周波数変換回路をリセットしてクロック信号の出力を終了させるカウンタ回路と、を備えている。
【００４４】
図１０は、右ＬＥＤユニット１４ｃの具体的な点灯制御態様を示すタイミングチャートである。
図１０のタイミングチャートでは、Ｔ０時点でサブ制御装置２１が点灯制御信号の送信を開始し、Ｔ２の時点で当該点灯制御信号の送信を終了する。Ｔ０時点で点灯制御信号の送信が開始されると、Ｔ１時点で、クロック信号出力回路１８ａがスタートビットを検出し、サブ制御装置２１がデータ部を送信するのに合わせて、各ＬＥＤドライバ１５ｄ〜１５ｆへ所定周波数のクロック信号を送信開始する。このため、Ｔ２時点で点灯制御信号の送信が完了すると、サブ制御装置２１が送信した１２ビットのデータ部が、カスケード接続された３つのＬＥＤドライバ１５ｄ〜１５ｆに４ビットずつ取り込まれることとなり、Ｔ３時点で各ＬＥＤドライバ１５ｄ〜１５ｆにラッチ信号が入力されると、データ部が示す点灯パターンが１２個のＬＥＤ１６の点灯パターンに反映される。また、クロック信号出力回路１８ａは、Ｔ２時点で１２パルスのクロック信号出力を終了して、スタートビット検出前の初期状態に復帰する。
【００４５】
本実施例のように、本発明は、シリアルデータ信号線とクロック信号線の２線で制御するドライバに限らず、３線以上で制御するドライバに対しても適用可能であり、また、シリアルデータ信号線にドライバをカスケード接続する構成に対しても適用可能である。また、本実施例のように、クロック信号出力回路は、制御装置（サブ制御装置）からの点灯制御信号に関わらず、一定数のパルスを出力した時点でクロック信号の出力を停止するよう構成してもよい。
【００４６】
なお、本発明の遊技機は、上記実施例の形態に限らず本発明の要旨を逸脱しない範囲内において種々変更を加えることができる。例えば、上記実施例は、本発明をスロットマシンに適用したものであるが、本発明は、スロットマシンに限らずパチンコ機などの遊技機にも適用可能である。
【００４７】
また、上記実施例では、ＬＥＤユニット１４ａと左ＬＥＤユニット１４ｂが、本発明に係る駆動装置ユニットに相当しているが、本発明は、遊技機に配設される駆動装置ユニットのうち、少なくとも一つに対して、本発明に係る構成が適用されていればよい。また、クロック信号出力回路が配設された駆動装置ユニットと、クロック信号出力回路を具備しない近傍の駆動装置ユニットとをワイヤハーネスで接続して、クロック信号出力回路を具備する駆動装置ユニットからクロック信号出力回路を具備しない近傍の駆動装置ユニットにクロック信号を送信するようにしてもよい。
【００４８】
また、上記実施例では、サブ制御装置（制御装置）２１と、左右のＬＥＤユニット（駆動装置ユニット）１４ａ，１４ｂとが異なるシリアルデータ信号線２４，２４を介して接続されているが、共通のシリアルデータ信号線を介して、複数のＬＥＤユニットを、サブ制御装置とを接続するよう構成してもよい。
【００４９】
また、ＬＥＤユニットに配設するＬＥＤドライバの数や、各ＬＥＤドライバに接続するＬＥＤの数も適宜変更可能である。また、上記実施例では、ＬＥＤドライバが本発明に係るドライバに対応しているが、本発明に係るドライバは、ＬＥＤドライバに限定されるものでなく、ステッピングモータやソレノイド、白熱電球などを駆動対象物とするものであってもよい。また、本発明に係るドライバの駆動対象物は、ドライバ毎に相違している必要はなく、複数のドライバで共通の駆動対象物を駆動するようにしてもよい。
【００５０】
また、上記実施例では、サブ制御装置（制御装置）２１とＬＥＤユニット（駆動装置ユニット）１４ａ，１４ｂとが直接接続されているが、サブ制御装置２１とＬＥＤユニット１４ａ，１４ｂの間に、中継基板を介在させるようにしてもよい。
【００５１】
また、上記実施例では、サブ制御装置（制御装置）２１からＬＥＤユニット（駆動装置ユニット）１４ａ，１４ｂに一方向に信号を送信する構成であるが、本発明は、Ｉ２Ｃ方式のように、シリアルデータ信号線を介して、駆動装置ユニットから制御装置へも信号を送る構成にも適用可能である。
【符号の説明】
【００５２】
１  スロットマシン（遊技機）
１２ａ，１２ｂ  演出用ランプ
１４ａ，１４ｂ，１４ｃ  ＬＥＤユニット（駆動装置ユニット）
１５ａ〜１５ｆ  ＬＥＤドライバ（ドライバ）
１６  ＬＥＤ（駆動対象物）
１８，１８ａ  クロック信号出力回路
２０  メイン制御装置
２１  サブ制御装置（制御装置）
２２  サブＣＰＵ
２４  シリアルデータ信号線
２５  クロック信号線
２６  ラッチ信号線
３１  入力端子
３２  シリアルパラレル変換回路
３３ａ，３３ｂ  比較器
３４  ラッチ回路
３５  発振回路
３６  周波数変換回路
３７  出力端子
【要約】
【課題】比較的簡易な回路構成によって、制御装置とドライバ間の信号線を低減可能な遊技機を提供する。
【解決手段】複数のドライバ１５ａ〜１５ｃと、各ドライバ１５ａ〜１５ｃにクロック信号を出力するクロック信号出力回路１８とを配設してなる駆動装置ユニット１４ａを配設し、制御装置２１と駆動装置ユニット１４ａをシリアルデータ信号線で接続する。そして、制御装置２１が、駆動対象物１６の駆動パターンをシリアルデータ信号線２４から出力する前に、シリアルデータ信号線２４から所定の送信開始信号を出力するよう構成するとともに、クロック信号出力回路１８が、該送信開始信号の入力を契機として、各ドライバ１５ａ〜１５ｃにクロック信号の出力を開始するよう構成する。
【選択図】図３【図１】
0005968509.tif 000002
【図２】
0005968509.tif 000003
【図３】
0005968509.tif 000004
【図４】
0005968509.tif 000005
【図５】
0005968509.tif 000006
【図６】
0005968509.tif 000007
【図７】
0005968509.tif 000008
【図８】
0005968509.tif 000009
【図９】
0005968509.tif 000010
【図１０】
0005968509.tif 000011